(57)【特許請求の範囲】
【請求項１】
電話回線と自動応答機能を有する電話端末装置との間に接続され、前記電話回線からのローディングデータを自動応答してダウンロードするローディング機能を備えたデータローディング装置において、
前記電話回線からの着信に自動応答しての前記電話端末装置における回線の閉結を検出する回線閉結検出手段と、
この回線閉結検出手段による前記電話端末装置における回線閉結検出後、前記電話回線からのローディングデータを所定時間監視するローディングデータ監視手段と、
このローディングデータ監視手段による監視中に前記電話回線からのローディングデータが検出された場合、前記電話回線から前記電話端末装置を切り離すとともに、前記電話端末装置にその電話端末装置において閉結されている回線を強制的に開放させる信号を送る強制開放手段と、
この強制開放手段による回線の強制開放を検出して前記電話回線からのローディングデータのダウンロードを開始するローディング手段と
を備えたことを特徴とするデータローディング装置。
【発明の詳細な説明】
【０００１】
【発明の属する技術分野】
この発明は、電話回線と自動応答機能を有する電話端末装置との間に接続され、電話回線からのローディングデータを自動応答してダウンロードするローディング機能を備えたデータローディング装置に関するものである。
【０００２】
【従来の技術】
従来より、電話回線に接続される電話端末装置の機能向上のため、電話回線と電話端末装置との間にローディング機能を備えたアダプタ（データローディング装置）を接続している。すなわち、図３に示すように、電話回線１と電話端末装置２との間にアダプタ３’を接続している。この場合、アダプタ３’は、電話回線１からのローディングデータ（センタからのローディングデータ）を自動応答してダウンロードする。これによって、アダプタ３’内のデータを書き替えたり、新たな機能を追加したりすることができ、さまざまな機能アップを図ることができる。
【０００３】
【発明が解決しようとする課題】
しかしながら、従来のアダプタ３’では、電話端末装置２を自動応答機能を有する電話端末装置（例えば、留守番電話装置）とした場合、センタから電話回線１を介して着信が入り、電話端末装置２が着信信号に自動応答して回線を閉結し、その後ビジートーンを検出するまで回線を閉結した状態となり、電話端末装置２の動作が優先され、ローディングデータのダウンロードを開始することができない。
また、センタからのローディングではなく通話目的などの着信に対し、先にアダプタ３’が自動応答してしまうことがある。このような場合、アダプタ３’での動作が優先され、電話端末装置２では自動応答を開始することができない。
【０００４】
本発明はこのような課題を解決するためになされたもので、その目的とするところは、電話回線からのローディングデータと通話目的などの着信とを区別し、ローディングデータについては必ずこれをダウンロードすることのできる、また通話目的などの着信については必ず電話端末装置に自動応答させ、その自動応答を継続させることのできるデータローディング装置を提供することにある。
【０００５】
【課題を解決するための手段】
このような目的を達成するために、本発明は、電話回線からの着信に自動応答しての電話端末装置における回線の閉結を検出するものとし、この電話端末装置における回線閉結検出後、電話回線からのローディングデータを所定時間監視するようにし、この監視中にローディングデータが検出された場合、電話回線から電話端末装置を切り離すとともに、電話端末装置にその電話端末装置において閉結されている回線を強制的に開放させる信号を送り、この回線の強制開放を検出して、ローディングデータのダウンロードを開始するようにしたものである。
この発明によれば、電話端末装置における回線閉結後、電話回線からのローディングデータが所定時間監視され、この監視中にローディングデータが検出されると、電話回線から電話端末装置が切り離されるとともに、電話端末装置における回線が強制的に開放され、ローディングデータのダウンロードが自動的に開始される。この監視中にローディングデータが検出されなければ、電話端末装置における回線の閉結が続けられ、電話端末装置における自動応答が続けられる。
【０００６】
【発明の実施の形態】
以下、本発明を実施の形態に基づき詳細に説明する。図１はこの発明の一実施の形態を示すアダプタ（データローディング装置）のブロック図である。このアダプタ３は、従来のアダプタ３’と同様、電話回線１と電話端末装置２との間に接続されている。
【０００７】
アダプタ３は、ＣＰＵ３−１と、リバース検出回路３−２と、リレー制御回路３−３と、発振回路３−４と、整流回路３−５と、ＤＰ送出回路３−６と、ＰＢ送出回路３−７と、増幅回路（ＡＭＰ）３−８，３−９と、ＰＢ受信回路３−１０と、メモリ３−１１と、ハイインピーダンス回路（Ｈｉ−Ｚ回路）３−１２と、電源回路３−１３と、電話機電流供給回路３−１４と、フック検出回路３−１５と、第１のリレー接点Ｓ１と、第２のリレー接点Ｓ２とを備えている。
【０００８】
リレー接点Ｓ１，Ｓ２は電話回線１と電話端末装置２とを接続するラインＬ１，Ｌ２に挿入接続されている。リレー接点Ｓ１はコモン端子Ｓ１ｃとこのコモン端子Ｓ１ｃに対して選択的に切替接続される第１の切替端子Ｓ１ａと第２の切替端子Ｓ１ｂとを備えている。リレー接点Ｓ２はコモン端子Ｓ２ｃとこのコモン端子Ｓ２ｃに対して選択的に切替接続される第１の切替端子Ｓ２ａと第２の切替端子Ｓ２ｂとを備えている。
【０００９】
リレー接点Ｓ１，Ｓ２は、リレー制御回路３−３によってその動作が制御され、通常はコモン端子Ｓ１ｃ，Ｓ２ｃが切替端子Ｓ１ａ，Ｓ２ａ側に接続された状態にある。リレー接点Ｓ１，Ｓ２の切替端子Ｓ１ａ，Ｓ２ａは電話回線１への接続ラインＬ１，Ｌ２に接続され、切替端子Ｓ１ｂ，Ｓ２ｂは電話機電流供給回路３−１４に接続され、コモン端子Ｓ１ｃはフック検出回路３−１５を介して電話端末装置２への接続ラインＬ１に接続され、コモン端子Ｓ２ｃは電話端末装置２への接続ラインＬ２に接続されている。
【００１０】
次に、各部の機能を交えながら、このアダプタ３の動作について説明する。
図２はこのアダプタ３におけるＣＰＵ３−１が行う特徴的な処理動作を示すフローチャートである。
ＣＰＵ３−１は、電話回線１からの着信前の待機状態では、リレー制御回路３−３を介してリレー接点Ｓ１，Ｓ２のコモン端子Ｓ１ｃ，Ｓ２ｃを切替端子Ｓ１ａ，Ｓ２ａ側に接続した状態としている（ステップ２０１）。
【００１１】
また、ＣＰＵ３−１は、フック検出回路３−１５からの検出出力に基づき、電話端末装置２における回線閉結を監視している（ステップ２０２）。ステップ２０４に至る前に、電話端末装置２における回線閉結を検出すれば、他の処理へ移行する（ステップ２０３）。
【００１２】
ステップ２０４では、リバース検出回路３−２からの検出出力に基づき、電話回線１からの着信の有無を監視する。電話回線１からの着信がない場合には他の処理へ移行する（ステップ２０５）。電話回線１からの着信があれば、「アダプタ着信認識」として（ステップ２０６）、フック検出回路３−１５からの検出出力をチェックする（ステップ２０７）。
【００１３】
電話回線１からの着信があった場合、この着信はアダプタ３を通して電話端末装置２へ送られ、この着信に自動応答して電話端末装置２において回線が閉結される。この電話端末装置２における回線の閉結をフック検出回路３−１５が検出してＣＰＵ３−１へ送る。ＣＰＵ３−１は、このフック検出回路３−１５からの検出出力をチェックし、電話端末装置２における回線の閉結を確認すれば（ステップ２０７のＹＥＳ）、ＤＰ送出回路３−６を制御して電話機電流供給回路３−１４への電流パスを形成する（ステップ２０８）。この場合、ＨＩ−Ｚ回路３−１２によって、入力インピーダンスをハイインピーダンスに保つ（ステップ２０９）。
【００１４】
この後、ＣＰＵ３−１は、ＤＰ送出回路３−６とＰＢ受信回路３−１０を介して電話回線１からのＰＢ信号を監視することにより、ローディングデータ（センタからのローディングデータ）を監視する（ステップ２１０，２１２）。この場合、ローディングデータの監視は所定時間行い、この監視中にローディングデータを検出しなければ他の処理へ移行する（ステップ２１１）。この監視中にローディングデータを検出すれば、リレー制御回路３−３を介してリレー接点Ｓ１，Ｓ２のコモン端子Ｓ１ｃ，Ｓ２ｃを切替端子Ｓ１ｂ，Ｓ２ｂ側に接続する（ステップ２１３）。
【００１５】
このコモン端子Ｓ１ｃ，Ｓ２ｃの切替端子Ｓ１ｂ，Ｓ２ｂ側への接続により、電話端末装置２が電話回線１からの接続ラインＬ１，Ｌ２から切り離され、電話機電流供給回路３−１４への接続ラインＬ１’，Ｌ２’へ接続される。この後、ＣＰＵ３−１は、ＡＭＰ３−９を介し電話機電流供給回路３−１４を通して、電話端末装置２へ約１０秒間のビジートーンと無音を送る（ステップ２１４）
【００１６】
電話端末装置２では、このアダプタ３からの約１０秒間のビジートーンと無音により、それまで閉結されていた回線が強制的に開放される。この電話端末装置２における回線の強制開放はフック検出回路３−１５によって検出される。ＣＰＵ３−１は、このフック検出回路３−１５からの検出出力をチェックし（ステップ２１５）、電話端末装置２での回線の開放が検出されれば、電話回線１からのローディングデータのダウンロードを開始する（ステップ２１６）。このローディングデータのダウンロードは、整流回路３−５→ＤＰ送出回路３−６→ＰＢ受信回路３−１０→ＣＰＵ３−１→メモリ３−１１の経路で行われる。
【００１７】
このように、本実施の形態によるアダプタ３によれば、電話回線１からの着信があると電話端末装置２が自動応答して回線を閉結するが、この電話端末装置２における回線閉結後、電話回線１からのローディングデータが所定時間監視され、この監視中にローディングデータが検出されれば、電話端末装置２において閉結されている回線が強制的に開放され、アダプタ３内でのダウンロードが開始される。これにより、電話回線１からのローディングデータについては、必ずアダプタ３においてダウンロードされるものとなる。
【００１８】
また、本実施の形態によるアダプタ３によれば、電話端末装置２における回線閉結後の監視中にローディングデータが検出されなければ、電話端末装置２における回線の閉結が続けられ、電話端末装置２における自動応答が継続される。これにより、通話目的などの着信については必ず電話端末装置２に自動応答させ、その自動応答を継続させることができる。
【００１９】
なお、本実施の形態によるアダプタ３では、電話端末装置２における回線閉結後の監視中にローディングデータが検出された場合、電話端末装置２において回線が開放された状態でローディングデータのダウンロードが行われるので、このダウンロード中のローディングデータ（ＰＢ信号）を電話端末装置２が受信し、例えば遠隔制御信号として誤認識することがなく、電話端末装置２において不具合が発生する虞れがない。
【００２０】
【発明の効果】
以上説明したことから明らかなように本発明によれば、電話端末装置における回線閉結後、電話回線からのローディングデータが所定時間監視され、この監視中にローディングデータが検出されると、電話回線から電話端末装置が切り離されるとともに、電話端末装置における回線が強制的に開放され、ローディングデータのダウンロードが自動的に開始されるものとなり、電話回線からのローディングデータと通話目的などの着信とを区別し、ローディングデータについては必ずこれをダウンロードすることができるようになる。
また、本発明によれば、電話端末装置における回線閉結後の監視中にローディングデータが検出されなければ、電話端末装置における回線の閉結が続けられ、電話端末装置における自動応答が続けられるものとなり、電話回線からのローディングデータと通話目的などの着信とを区別し、通話目的などの着信については必ず電話端末装置に自動応答させ、その自動応答を継続させることができるようになる。
また、本発明によれば、電話端末装置における回線閉結後の監視中にローディングデータが検出された場合、電話端末装置において回線が開放された状態でローディングデータのダウンロードが行われるので、このダウンロード中のローディングデータ（ＰＢ信号）を電話端末装置が受信し、例えば遠隔制御信号として誤認識することがなく、電話端末装置において不具合が発生する虞れがない。
【図面の簡単な説明】
【図１】本発明の一実施の形態を示すアダプタのブロック図である。
【図２】このアダプタにおけるＣＰＵが行う特徴的な処理動作を示すフローチャートである。
【図３】電話回線と電話端末装置との間へのアダプタの接続状況を示す図である。
【符号の説明】
１…電話回線、２…電話端末装置、３…アダプタ、３−１…ＣＰＵ、３−２…リバース検出回路、３−３…リレー制御回路、３−４…発振回路、３−５…整流回路、３−６…ＤＰ送出回路、３−７…ＰＢ送出回路、３−８，３−９…増幅回路（ＡＭＰ）、３−１０…ＰＢ受信回路、３−１１…メモリ、３−１２…ハイインピーダンス回路（ＨＩ−Ｚ回路）、３−１３…電源回路、３−１４…電話機電流供給回路、３−１５…フック検出回路、Ｓ１…第１のリレー接点、Ｓ２…第２のリレー接点、Ｓ１ａ，Ｓ２ａ…第１の切替端子、Ｓ１ｂ，Ｓ２ｂ…第２の切替端子、Ｓ１ｃ，Ｓ２ｃ…コモン端子。
【図１】
0003633402.tif 000002
【図２】
0003633402.tif 000003
【図３】
0003633402.tif 000004